(57)【要約】  移動コンピューティングデバイス内のモジュールを準備する方法および装置が記述されている。ソフトウェアアプリケーションと、オペレータのプロファイルと関係するパラメータとを使用して、移動コンピューティングデバイスのユーザが、無線通信の受信可能範囲があるところで、無線通信ネットワークにアクセスするのを可能にする。本明細書に記載されている方法および装置は、移動コンピューティングデバイスのユーザに、無線通信サービスにアクセスするときに、柔軟性および便利さを与える。【選択図】    図４
2007509539.tif 000002
【特許請求の範囲】
【請求項１】
無線通信モジュールを準備する方法であって、
無線通信モジュールを埋め込まれた移動コンピューティングデバイスから、オーバーザエアサービスおよび準備手続きを開始することと、
オーバーザエアサービスおよび準備手続きを使用して、電気通信事業者からの準備情報に対する要求を、移動コンピューティングデバイスにおいて受信することと、
オーバーザエアサービスおよび準備手続きを介して、電気通信事業者からの準備の確認を、移動通信デバイスにおいて受信することとを含む方法。
【請求項２】
移動通信デバイスが、移動通信デバイス上にプレロードされた加入アプリケーションを含む請求項１記載の方法。
【請求項３】
加入アプリケーションが、インストレーションＣＤ上に与えられている請求項２記載の方法。
【請求項４】
加入アプリケーションが、無線サービスプロバイダとの呼を開始するためのデフォルトパラメータをもつ加入プロファイルを含む請求項１記載の方法。
【請求項５】
移動コンピューティングデバイスのためのユーザインターフェイスアプリケーションであって、
無線ネットワークのためのパケットデータサービスオプションに接続するための埋め込まれたモジュールへの信号を開始することと、
パケットデータのセッションが設定され、移動通信デバイスがＩＰアドレスを割り当てられると、移動通信デバイス上でウェブブラウザを開始して、ブラウザを無線ネットワークサーバへ導くこととを含むユーザインターフェイスアプリケーション。
【発明の詳細な説明】
【技術分野】
【０００１】
米国特許法第１１９条のもとでの優先権の主張
本出願は、Ｎｉｌｏｌａｉ  Ｌｅｕｎｇ、他によって、２００３年１０月１７日に出願された米国仮出願第６０／５１２，５９５号（代理人事件番号第０４００４９Ｐ１号）（“Provisioning and Activation for Embedded Modules”）に対して優先権を主張しており、これは、本明細書において参照によって全体的に取り入れられている。
【０００２】
本出願は、Ｎｉｌｏｌａｉ  Ｌｅｕｎｇによって、２００４年５月４日に出願された米国仮出願第６０／５６８，１９８号（代理人事件番号第０４０３４９Ｐ１号）（“Provisioning and Activation for CDMA Modules Embedded in Mobile Computing device”）に対しても優先権を主張しており、これは、本明細書において参照によって全体的に取り入れられている。
【０００３】
本発明は、概ね、通信、より具体的には、無線通信システムのアクセス端末内の埋め込まれたモジュールの準備および起動に関する。
【背景技術】
【０００４】
多様な応用における無線通信能力の普及に伴って、多くのラップトップコンピュータおよび他のコンピューティングデバイスは、セルラまたは他の無線アクセスを必要としている。無線機能は、ラップトップまたは他のコンピューティングデバイス内に位置するモジュールによって与えられる。このような無線アクセスは、サービスプロバイダまたは電気通信事業者を経由する。サービスプロバイダまたは電気通信事業者は、サービスに対する支払いを確実にし、不正使用を回避し、課金および請求書発行情報を与えるために、無線アクセスのための埋め込まれたデバイスの準備および起動を必要とする。通常、ユーザがセルラ電話を購入すると、電話は、購入時点（point of purchase）において、またはオーバーザエア(over-the-air, OTA)の準備によって、準備され、起動される。埋め込まれたモジュールは、通常、コンピューティングデバイスを販売している店ではアクセス可能でないので、購買時点でのサービスの準備は、モジュールを備えたコンピューティングデバイスにとって都合が悪い。さらに加えて、コンピューティングデバイスの購買時点では、通常、準備および起動を与えることができず、ユーザは、コンピューティングデバイスを、準備および起動のために、別の店に持って行かなければならないであろう。
【発明の開示】
【発明が解決しようとする課題】
【０００５】
したがって、ラップトップコンピュータのような、コンピューティングデバイスまたは他のデバイス内の、無線通信に使用されるモジュールを準備し、起動する方法および装置が必要とされている。さらに加えて、このようなデバイスのオーバーザエア（ＯＴＡ）の準備および認証を可能にすることが必要されている。
【課題を解決するための手段】
【０００６】
本明細書に開示されている実施形態は、無線通信モジュールを準備する方法によって、上述の必要に対処している。方法は、無線通信モジュールを埋め込まれた移動コンピューティングデバイスから、オーバーザエアサービスおよび準備手続きを開始することを含む。準備情報に対する要求は、オーバーザエアサービスおよび準備手続きを使用して、電気通信事業者から、移動コンピューティングデバイスにおいて受信される。準備の確認は、オーバーザエアサービスおよび準備手続きによって、電気通信事業者から、移動通信デバイスにおいて受信される。
【０００７】
本発明の別の態様では、移動コンピューティングデバイスのためのユーザインターフェイスアプリケーションが与えられる。ユーザインターフェイスアプリケーションは、無線ネットワークのためのパケットデータサービスオプションに接続するための埋め込まれたモジュールへの信号を開始するように構成されている。アプリケーションは、パケットデータのセッションが設定され、移動通信デバイスがＩＰアドレスを割り当てられると、移動通信デバイス上でウェブブラウザを開始し、無線ネットワークサーバへブラウザを導くようにも構成されている。
【発明を実施するための最良の形態】
【０００８】
“例示的”という用語は、本明細書において“例、事例、または実例としての役割を果たす”ことを意味するために使用されている。本明細書に“例示的”として記載されている何れの実施形態も、他の実施形態よりも好ましいまたは好都合であると、必ずしも解釈されると限らない。この詳細な記述に記載されている実施形態の全ては、当業者が、特許請求項によって定められる本発明の範囲を制限するためではなく、本発明を構成または使用することを可能にするために与えられている。
【０００９】
図１を参照すると、無線通信システム100が、本発明の１つの実施形態にしたがって示されている。本明細書においてアクセス端末(access terminal, AT)105と呼ばれる無線加入者局は、移動形または静止形であり、１つ以上の無線基地局110と通信し得る。アクセス端末105は、データパケットを１つ以上の基地局110を介して基地局制御装置(base station controller, BSC)115との間で送受信する。基地局110および基地局制御装置115は、アクセスネットワークと呼ばれるネットワークの一部である。アクセスネットワークは、多数のアクセス端末105間でデータパケットを移送する。アクセスネットワークは、パケットデータ供給ネットワーク（packet data serving network, PDSN）125およびインターネット130のような、アクセスネットワークの外部の付加的なネットワークにも接続され、各アクセス端末105とこのような外部ネットワークとの間でデータパケットを移送し得る。
【００１０】
アクセス端末105が基地局110へ信号を送る通信リンクは、逆方向リンクと呼ばれる。基地局110がアクセス端末105へ信号を送る通信リンクは、順方向リンクと呼ばれる。１つ以上の基地局110とアクティブなトラヒックチャネル接続を設定したアクセス端末105は、アクティブなアクセス端末と呼ばれ、トラヒック状態であると言われる。１つ以上の基地局110とのアクティブなトラヒックチャネル接続を設定する過程中であるアクセス端末105は、接続設定状態であると言われる。
【００１１】
アクセス端末105は、無線チャネルを介して通信するか、または、その代わりに、(例えば、光ファイバまたは同軸ケーブルを使用する)ワイヤードチャネルを介して通信し得るデータデバイスであり得る。例示されている実施形態にしたがうと、アクセス端末105は、例えば、基地局110との無線通信を可能にするための無線通信モジュールを備えて構成された、ラップトップコンピュータのような、移動コンピューティングデバイスの形をとる。アクセス端末105は、数多くのタイプの他のデバイスの形をとり得る。それらは、ＰＣカード、外部または内部モデム、無線電話、ＰＤＡ、等を含むが、これらに制限されない。
【００１２】
１つの実施形態にしたがって、各アクセス端末105は、埋め込まれたモジュール120を備えて形成され、これは、移動局モデム(mobile station modem, MSM)の形をとり得る。埋め込まれたモジュール120は、順方向リンク上で基地局110から通信信号を受信し、逆方向リンク上で基地局110へ通信信号を送信する。
【００１３】
図２は、モジュール120の製造業者が、各サービスプロバイダ(すなわち、無線オペレータ)の支援される加入プロファイルをモジュール120内へ、それをアクセス端末105の仕入れ業者へ発送する前に、予め準備する手続きを示している。モジュール120がアクセス端末105に埋め込まれると、ユーザは、モジュール120の製造業者によって予め準備された、選択されたオペレータ（operator, oper）の加入アプリケーションをクリックし、その特定のサービスプロバイダ(すなわち、オペレータ)とパケットデータセッションを開始するための関係付けられた加入プロファイルを使用するように、モジュール120に命令する。
【００１４】
モジュール120が起動される前に、オペレータの加入パラメータが変わると、モジュール120内の加入プロファイルの更新が必要とされ得る。これは、アクセス端末105から埋め込まれたモジュール120を取り外すことなく達成され、２つのやり方の一方において実現され得る。第１のやり方では、アクセス端末105の仕入れ業者が、特定のサービスプロバイダ(オペレータ)の更新された加入プロファイルをモジュール120内へプレロードするアプリケーションを、アクセス端末105へ一時的にロードし得る。その代わりに、アクセス端末105の仕入れ業者は、例えば、アクセス端末のＵＳＢポートを介して、加入プロファイルローディングツールに接続し、モジュール120上の加入プロファイルを更新してもよい。
【００１５】
図３は、アクセス端末105が、オペレータの記憶された加入アプリケーションを含んでいて、それが、その無線オペレータに専用の加入プロファイルを保持している手続きを示している。ユーザが、アクセス端末105を介して、選択されたオペレータのための加入アプリケーションを選択すると、選択されたアプリケーションは、プロファイルをモジュール120内へダウンロードし、選択された無線オペレータとのパケットデータセッションを開始するようにモジュール120に命令する。この方法は、必要に応じて加入プロファイルを更新するための、オペレータにとって都合の良い手段を与える。オペレータは、加入アプリケーション内のプロファイルを更新し、アクセス端末105の仕入れ業者にこれを与える。ユニットを発送する前に、アクセス端末105の仕入れ業者は、オペレータの最も新しいアプリケーションをアクセス端末105上にプレロードするか、またはユーザがアクセス端末105を仕入れ業者から購入するときに与えられる添付のＣＤ−ＲＯＭ上に加入アプリケーションを与えてもよい。
【００１６】
“一般的な”モジュール120（すなわち、２つ以上のサービスプロバイダ(オペレータ)に適用可能であるもの）を支援するために、移動局モデム(ＭＳＭ)は、多数のオペレータの加入プロファイルを支援する必要があるだろう。図２に示されているプレロードされた加入プロファイルが使用されるとき、ＭＳＭは、次に示すものを支援することが望ましいであろう。
【００１７】
−モジュール120の仕入れ業者によってプレロードされた、ＮＶ ＲＡＭ内の多数の加入プロファイル。
【００１８】
−加入アプリケーションが、使用する加入プロファイルをＭＳＭに示すことを可能にするインターフェイス。
【００１９】
−アクセス端末105上の加入プロファイルローディングアプリケーションへのインターフェイスか、またはアクセス端末105のＵＳＢインターフェイスを介して接続されるローディングツールへのインターフェイス。これらは、アクセス端末に既に埋め込まれたモジュール120内のプレロードされたプロファイルを、モジュール120を取り外さずに、更新することが必要であるとき、アクセス端末の仕入れ業者によって使用されることができる。
【００２０】
図３に示されているアプリケーションダウンロード手続きが使用されるとき、加入アプリケーションが加入パラメータをＮＶ ＲＡＭ内へダウンロードすることを可能にするインターフェイスを支援することが、ＭＳＭにとって望ましいであろう。発送されたモジュール120のセキュリティを保護するために、モジュールＰＩＮロック機構が使用されるとき、ＭＳＭは、次に示すことを行うであろう。
【００２１】
−ＭＳＭは、移動体が開始する無線通信ネットワークアクセスに対して、モジュールを、正しいＰＩＮが入力されるまで、ロックする。
【００２２】
−ＭＳＭは、（例えば、ウインドウズ（商標）のオペレーティングシステムのＮＤＩＳを介して）ＰＩＮの入力を可能にする、アクセス端末のアプリケーションへのインターフェイスを与える。
【００２３】
−ＭＳＭは、ＯＴＡＰＡによって準備された固有のモジュールパラメータの所定の関数(例えば、ＰＩＮ＝ＭＩＮのハッシュ)に基づいてＰＩＮを計算する。
【００２４】
−アクセス端末上のアプリケーションからの強力なＰＩＮの攻撃を防ぐために、ＭＳＭは、ＰＩＮの試行回数を制限するか、または連続的なＰＩＮの試行間の時間を、１回失敗するたびに、単調に延長するか、あるいはこの両者を行うことができる。セキュリティのために、許容試行回数を超えると、ＭＳＭは、新しいＰＩＮの試行を承認するために、ＯＴＡＰＡによって再び準備されなければならないであろう。
【００２５】
ＰＩＮを計算する関数が、オペレータ定義（例えば、特定のＯＴＡＰＡパラメータの特定のハッシュ関数）になるとき、ＭＳＭは、このオペレータが定義可能な特徴を支援する必要があるであろう。関数の定義は、オペレータの加入プロファイルの一部として、モジュール120内へ予めプレロードされるであろう。
【００２６】
既に記載したように、アクセス端末105がユーザに販売される前に、モジュール120は、アクセス端末105内に埋め込まれることができる。モジュール120は、製造中に、または販売時点で、アクセス端末105に埋め込まれることができる。加入アプリケーションは、アクセス端末の仕入れ業者によってアクセス端末105上にプレロードされるか、またはインストレーションＣＤ上に与えられる。
【００２７】
図４は、アクセス端末105内の埋め込まれたモジュール120のオーバーザエアパラメータ管理(over-the-air parameter administration, OTAPA)の準備を設定する信号の流れを示している。ステップ401において、ユーザは、加入アプリケーションを開始し、ステップ403において、無線通信プロバイダへの加入を開始するように、モジュール120に命令する。モジュール120は、加入プロファイルを使用し、これは、無線通信ネットワーク上で呼を開始するのに必要とされるデフォルトのパラメータを含む。ステップ405において、モジュール120は、モジュールの電子シリアルナンバ(electronic serial number, ESN)と、モジュールのＥＳＮを使用するハッシング関数に基づく移動体識別番号(mobile identification number, MIN)とを使用して、呼を開始する。無線アクセスネットワークは、ＭＩＮが、加入モジュール120のそれでなくても、パケットデータセッションを接続することを可能にする。ステップ407において、モジュールのＥＳＮは、無線通信チャネルによってＡ１１インターフェイスを介して送られる無線パケット接続設定エアーリンクレコードにおいて、ＰＤＳＮ125へ通信される。ステップ409において、モジュール120は、ＩＰ呼を設定し、プレロードされたデフォルトのネットワークアクセス識別子(network access identifier, NAI)(例えば、ベライゾンネットワーク（Verizon network）では[esn]@subscribe.vzw.com)およびパスワードを使用して、チャレンジハンドシェイク認証プロトコル(Challenge Handshake Authentication Protocol, CHAP)を介してＰＤＳＮ125に自分自身を認証する。ＰＤＳＮ125は、これらのデフォルトの認証パラメータを承認し、モジュール120にＩＰアドレスＸを与える。デフォルトのパラメータは、ユーザがまだ加入していないことを示すので、ＰＤＳＮ125は、このユーザからのトラヒックを、オペレータの加入ウェブサーバのみに制限する。ステップ411において、ＰＤＳＮ125は、デフォルトのネットワークアドレス識別子(Network Address Identifier, NAI)、ＥＳＮ、およびＰＤＳＮ125によってモジュール120に割り当てられたＩＰアドレスを含む、モジュール120のレコードを生成するように、認証、認可、および課金(Authentication Authorization and Accounting, AAA)準備サーバに命令する。ＮＡＩをもつことは、モジュール120のＥＳＮが固有のＮＡＩを生成することを含み、これは、ＡＡＡ準備サーバが、ＮＡＩに基づいてそのレコードを編成するときに役立つ。これは、多数のモジュールが、ほぼ同時にサービスに加入することを試みているときに、ＡＡＡ準備サーバが、レコードを上書きするのを防ぐ。
【００２８】
アクセス端末加入アプリケーションが、ＩＰアドレスがアクセス端末105に割り当てられたと判断すると、ステップ413において、アプリケーションは、アクセス端末上で、標準のウェブブラウザを開始する。ウェブページが、種々の加入プランをユーザに提示すると、アプリケーションは、ブラウザに加入サーバのＵＲＬまたはＩＰアドレスを伝える。ブラウザは、標準のインターネット電子商取引セキュリティプロトコルを使用して、加入サーバ(例えば、ベリサイン（VeriSign）によって署名されたディジタル証明)を認証し、暗号化された金融情報を交換する。
【００２９】
ステップ415において、ユーザが加入プランを選択すると、ウェブサーバは、アクセス端末105上のユーザのウェブブラウザとの現在のＩＰトランザクションからＩＰアドレスを使用して、モジュール120のＥＳＮを判断する。ウェブサーバは、ＩＰアドレスＸに基づくモジュールのＥＳＮについてＡＡＡ準備サーバに照会する。ウェブサーバがＥＳＮを要求する必要がある一方で、ユーザとのＨＴＴＰトランザクションは、依然としてアクティブであるので、ＰＤＳＮ125は、モジュール120に割り当てられたＩＰアドレスＸを維持する。ＡＡＡ準備サーバは、ＩＰアドレスＸの鍵を外すレコードをサーチし、モジュール120のＥＳＮを判断する。ステップ417において、ＥＳＮが突き止められると、これはウェブサーバに戻される。ウェブサーバは、ＥＳＮ情報を得ると、信用および課金情報を入力するように、ユーザに照会することができる。ステップ419において、これは、ユーザによって、セキュリティ保護されたＨＴＴＰＳ／ＳＳＬリンクによって、ウェブサーバに与えられる。ユーザの信用情報が確認されると、ステップ421において、ウェブサーバは、モジュール120のＥＳＮを、オーバーザエアサービス準備機能(Over-the-Air Service Provisioning Function, OTAF)に示す。モジュール120が、ＯＴＡＰＡ呼を受信することができると、ステップ423において、ＯＴＡＦは、ＥＳＮを使用して、モジュール120と交信し、準備する。別の実施形態では、ステップ423において、ＯＴＡＳＰを使用できることが分かるであろう。加入アプリケーションが、ステップ411が完了したことを通知されると、モジュール120が無線通信ネットワークの受信可能範囲内であるとき、アプリケーションは、モジュール120にＯＴＡＳＰ呼を行うように命令する。
【００３０】
一般的なモジュール120を支援するために、ＭＳＭは、多数のオペレータ加入プロファイルを支援するであろう。図４のステップ403、405、および409に記載されているように、準備されていない無線通信モジュール120は、それが、加入のための無線トラヒックチャネルを得ることを可能にするパラメータの組を必要とする。モジュールは、ＰＤＳＮ125を介して加入サーバへのアクセスを得るために、ＰＤＳＮ125の認証パラメータも必要とする。これらのパラメータの組は、オペレータ間で異なるので、一般的なモジュール120は、異なる加入パラメータの組を支援する必要があるであろう。なお、これは、本明細書において加入プロファイルと呼ばれる。各加入プロファイルは、次のパラメータの組を含むであろう。
【００３１】
無線トラヒックチャネルを得るために必要とされるパラメータ
・周波数
・好ましいローミングリスト（Preferred Roaming List, PRL）
・デフォルトのＭＩＮを生成するためのＥＳＮハッシング関数
ＰＤＳＮ認証パラメータ
・デフォルトのＮＡＩ（例えば、[esn]@subscribe.vzw.com）
・デフォルトのパスワード
オーバーザエアで準備されることができないサービスパラメータ
・例えば、ベライゾンの動的な移動体ＩＰ鍵更新(Dynamic Mobile IP Key Update, DMU)手続きのためのＲＳＡ公開鍵。
【００３２】
最後のパラメータの組は、それがＯＴＡ手続きによって準備されることができないので、加入プロファイルに含まれる。
【００３３】
別の実施形態では、アクセス端末105のユーザは、ワイヤーライン接続によって加入を要求することができる。この実施形態では、アクセス端末105のユーザは、ワイヤーラインのインターネット接続を使用して、アクセス端末105を無線通信サービスプロバイダに接続し、ワイヤード接続によって起動処理を行う。さらに加えて、サーバは、ワイヤーラインによって、ＭＳＭへの直接的で、セキュリティ保護されたＩＰ接続を設定できないので、モジュール120のＥＳＮを自動的に得るための、サーバにとってセキュリティ保護されたやり方はない。自動方法は、異なるＥＳＮをサーバに与えるウィルス/ワームを開くであろう。
【００３４】
加入者がワイヤーライン接続にアクセスし、モジュールのＥＳＮを加入ウェブサイトに手入力で与えることを望んでいる特別の場合において、ワイヤーライン加入は、バックアップ方法として役立ち得る。例えば、会社のＩＴ部門は、この方法を使用して、モジュール120を埋め込まれた多数の移動コンピューティングデバイスを加入させることができる。
【００３５】
図５は、ユーザのブラウザからモジュール120へ直接送られる通信を使用し、プロキシとして働き、この情報をそのセキュリティを保護されたリンクを介して加入サーバへ送る方法を示す。ＭＳＭ120は、ＨＴＴＰプロキシとして働き、加入サーバからのＨＴＭＬトラヒックが、アクセス端末105においてユーザのブラウザ上に表示されることを可能にする。ステップ501において、ユーザは、アクセス端末105のブラウザ上でのアプリケーション／リンクを開始する。ステップ503において、アクセス端末105は、ＭＳＭに接続し、ＨＴＴＰ／ＴＣＰ／ＩＰを使用して、交信する何れかのオペレータのウェブサーバを示す。ステップ505において、ＭＳＭは、ＨＴＴＰ／ＴＣＰ／ＩＰを使用して、オペレータのサーバに接続する。ステップ507において、ＭＳＭは、アクセス端末105とＭＳＭのスタックとの間、およびＭＳＭと加入サーバスタックとの間でＨＴＴＰトラヒックを中継する。ステップ509において、加入サーバは、ウェブサーバを認証し、ＨＴＴＰ／ＳＳＬ／ＴＣＰ／ＩＰのセッションを設定し、ＭＳＭは、アクセス端末105とのＨＴＴＰ／ＴＣＰ／ＩＰのセッションを設定する。ステップ511において、ユーザは、アクセス端末105上で信用情報を入力する。ステップ513において、加入サーバは、モジュール120のＥＳＮを要求する。ステップ515において、ＭＳＭ120は、モジュール120のＥＳＮを加入サーバに送る。
【００３６】
図６は、アクセス端末105上のユーザのブラウザが、ＭＳＭのＶＰＮ接続によって通された加入サーバと、セキュリティを保護された終端間のＨＴＴＰＳ／ＳＳＬ／ＴＣＰ／ＩＰセッションを設定する別の実施形態を示している。この終端間のセッションは、ブラウザが加入サーバを認証し、送られるあらゆるユーザの信用情報をセキュリティ保護することを可能にする。ステップ601において、ユーザは、アクセス端末105のブラウザ上でアプリケーション／リンクを開始する。ステップ603において、アクセス端末105上で実行されているブラウザは、ＭＳＭに接続し、ＨＴＴＰ/ＴＣＰ／ＩＰを使用して、交信する何れかのオペレータのウェブサーバを示す。ステップ605において、ＭＳＭは、音声プライバシーネットワーク(voice privacy network, VPN)接続を使用して、オペレータのサーバに接続する。ステップ607において、ＨＴＴＰ／ＴＣＰ／ＩＰトラヒックは、アクセス端末105と加入サーバとの間のＭＳＭのＶＰＮ接続によって通される。ステップ609において、加入サーバは、ウェブサーバを認証し、アクセス端末105と加入サーバとの間のＭＳＭのＶＰＮ接続によって通されたＨＴＴＰ／ＳＳＬ／ＴＣＰ／ＩＰのセッションを設定する。ステップ611において、ユーザは、アクセス端末105上で信用情報を入力する。ステップ613において、加入サーバは、モジュール120のＥＳＮを要求する。ステップ615において、ＭＳＭ120は、モジュール120のＥＳＮを加入サーバに送る。
【００３７】
本明細書に開示されている実施形態に関連して記載された種々の例示的な論理ブロック、モジュール、および回路は、本明細書に記載されている機能を実行するように設計された汎用プロセッサ、ディジタル信号プロセッサ（digital signal processor, DSP）、特定用途向け集積回路（application specific integrated circuit, ASIC）、フィールドプログラマブルゲートアレイ（field programmable gate array, FPGA）または他のプログラマブル論理デバイス、ディスクリートゲートまたはトランジスタロジック、ディスクリートなハードウエアの構成要素、あるいはこれらの組み合わせで実施または実行され得る。汎用プロセッサは、マイクロプロセッサであってもよいが、代替例においては、プロセッサは任意の従来のプロセッサ、制御装置、マイクロ制御装置、または状態機械であり得る。プロセッサは、コンピューティングデバイスの組み合わせ、例えば、ＤＳＰとマイクロプロセッサとの組み合わせ、複数のマイクロプロセッサ、ＤＳＰコアと関連した１つ以上のマイクロプロセッサ、または任意の他のこのような構成としても実施され得る。
【００３８】
本明細書に開示されている実施形態に関連して記載されている方法またはアルゴリズムのステップは、ハードウエア、プロセッサによって実行されるソフトウエアモジュール、またはこの２つの組み合わせにおいて直接的に具体化され得る。ソフトウエアモジュールは、ＲＡＭメモリ、フラッシュメモリ、ＲＯＭメモリ、ＥＰＲＯＭメモリ、ＥＥＰＲＯＭメモリ、レジスタ、ハードディスク、リムーバブルディスク、ＣＤ−ＲＯＭ、または当技術において公知の他の形態の記憶媒体を含み得る。例示的な記憶媒体は、プロセッサが、その記憶媒体から情報を読み出し、かつ書き込むことができるように、プロセッサに接続される。別の実施形態では、記憶媒体は、プロセッサと一体構成であってもよい。プロセッサおよび記憶媒体は、ＡＳＩＣ内にあってもよい。ＡＳＩＣは、ユーザ端末内にあってもよい。別の実施形態では、プロセッサおよび記憶媒体は、ユーザ端末内のディスクリートな構成要素として存在してもよい。
【００３９】
開示されている実施形態の上記説明は、当業者が本発明を構成または使用することを可能にすべく提供されている。これらの実施形態への種々の変更は当業者には容易に明らかになり、本明細書において定義されている一般的な原理は、本発明の主旨および範囲から逸脱することなく他の実施形態に適用され得る。したがって、本発明は本明細書に示されている実施形態に制限されることを意図されるものではなく、本明細書に開示されている原理および新規な特徴と合致する最大の範囲に一致すべきものである。
【図面の簡単な説明】
【００４０】
【図１】通信のための複数のアクセス端末を含む無線通信システムを示す図。
【図２】アクセス端末の埋め込まれたモジュール内へオペレータのプロファイルを予め準備する１つの実施形態の例示的な図。
【図３】１つの実施形態にしたがう、アクセス端末の埋め込まれたモジュール内のアプリケーションに基づくオペレータのプロファイルの例示的な図。
【図４】アクセス端末内の埋め込まれたモジュールのＯＴＡＰＡの準備を設定する方法の信号の流れ示す例示的な図。
【図５】移動局モデムをＨＴＴＰプロキシとして使用する信号の流れを示す例示的な図。
【図６】埋め込まれたモジュールを使用して、加入サーバへのＶＰＮ接続を設定する信号の流れを示す例示的な図。
【符号の説明】
【００４１】
100・・・無線通信システム。
【図１】
2007509539.tif 000003
【図２】
2007509539.tif 000004
【図３】
2007509539.tif 000005
【図４】
2007509539.tif 000006
【図５】
2007509539.tif 000007
【図６】
2007509539.tif 000008
【国際調査報告】
2007509539.tif 000009
2007509539.tif 000010
2007509539.tif 000011